(57)【要約】【課題】木部材の表面側を効果的に暖めることができるステアリングホイールを得る。【解決手段】導電膜４６の両端部には電極端子３４が接続されており、導電膜４６は、電極端子３４側からの通電により抵抗熱を発する。ここで、導電膜４６は、リム芯金部２０を被覆する木部材３０の表面３０Ｃ側の全体を被覆しているので、導電膜４６への通電時には、木部材３０の表面３０Ｃ側の全体が導電膜４６の抵抗熱によって直接暖められる。【選択図】図３
2009262745.tif 000002
【特許請求の範囲】
【請求項１】
車両の乗員が把持可能にされた木部材と、
前記木部材の表面側に設けられ、発熱可能にされた発熱部と、
を有するステアリングホイール。
【請求項２】
前記発熱部は、前記木部材の表面側の全体に被覆されかつ通電により発熱する導電膜である請求項１記載のステアリングホイール。
【発明の詳細な説明】
【技術分野】
【０００１】
本発明は、木部材が取り付けられたステアリングホイールに関する。
【背景技術】
【０００２】
木部材で被覆されたステアリングホイールにおいては、木部材を暖めるために、木部材の内面側（芯金側）に発熱体を配設している場合がある（例えば、特許文献１参照）。
【特許文献１】特開２００５−３３５７０６公報
【発明の開示】
【発明が解決しようとする課題】
【０００３】
しかしながら、この構造では、木部材の内面側から表面側（外面側）へ熱を伝えなければならないため、木部材の表面側を効果的に暖めることが難しい。
【０００４】
本発明は、上記事実を考慮して、木部材の表面側を効果的に暖めることができるステアリングホイールを得ることが目的である。
【課題を解決するための手段】
【０００５】
請求項１に記載する本発明のステアリングホイールは、車両の乗員が把持可能にされた木部材と、前記木部材の表面側に設けられ、発熱可能にされた発熱部と、を有する。
【０００６】
請求項１に記載する本発明のステアリングホイールによれば、木部材の表面側に発熱可能な発熱部が設けられているので、発熱部の発熱時には、木部材の表面側が発熱部によって直接暖められる。
【０００７】
請求項２に記載する本発明のステアリングホイールは、請求項１記載の構成において、前記発熱部は、前記木部材の表面側の全体に被覆されかつ通電により発熱する導電膜である。
【０００８】
請求項２に記載する本発明のステアリングホイールによれば、発熱部が木部材の表面側の全体に被覆されて通電により発熱する導電膜となっているので、導電膜への通電時には、木部材の表面側の全体が導電膜の抵抗熱によって直接暖められる。
【発明の効果】
【０００９】
以上説明したように、本発明に係る請求項１に記載のステアリングホイールによれば、木部材の表面側を効果的に暖めることができるという優れた効果を有する。
【００１０】
請求項２に記載のステアリングホイールによれば、導電膜への通電によって木部材の表面側の全体を直接暖めることができるという優れた効果を有する。
【発明を実施するための最良の形態】
【００１１】
（実施形態の構成）
本発明の一実施形態に係るステアリングホイールについて図１〜図３を用いて説明する。
【００１２】
図１には、ステアリングホイール１０が正面図にて示されており、図２には、ステアリングホイール１０の要部が断面図（図１の２−２線に沿った拡大断面図）にて示されている。図１に示されるように、ステアリングホイール１０は、芯金１２を備えている。芯金１２は、マグネシウム等の金属を鋳造成形することにより形成されている。
【００１３】
芯金１２は、ボス部１４を備えている。ボス部１４は、車両の操舵装置（ステアリング装置）を構成するステアリングシャフト１５に固定されている。ボス部１４の外周には、芯金１２の一部を構成するリム芯金部２０（広義には「外周芯金部」として把握される要素である。）が設けられている。リム芯金部２０は、運転席に対向するように設置され、正面視で略環状に形成されている。また、図２に示されるように、リム芯金部２０は、ステアリング軸方向（ステアリングシャフト１５（図１参照）の軸方向）に沿って切った断面が二股状とされてステアリング軸の下方（矢印Ａ方向）側に開口した略Ｃ字形状とされている。なお、このリム芯金部２０には、芯金１２を構成するウエイト２２が嵌め込まれており、ウエイト２２は、正面視で略環状とされている（図示省略）。
【００１４】
図１に示されるように、ボス部１４とリム芯金部２０との間には、芯金１２の一部として複数本のスポーク部１６（広義には「連結部」として把握される要素である。）が設けられている。ボス部１４とリム芯金部２０とは、スポーク部１６を介して一体に連結されており、リム芯金部２０をその回転軸線回りに回転させることでボス部１４が固定されたステアリングシャフト１５をそのステアリング軸回りに回転させることができるようになっている。
【００１５】
ステアリングホイール１０の正面視で左右両側及び下側には、外革部２４が設けられている。外革部２４は、各スポーク部１６のリム芯金部２０側の部位とリム芯金部２０の左右両側及び下側の部位とを被覆した状態で、各スポーク部１６及びリム芯金部２０に取り付けられている。また、図１の３−３線に沿った拡大断面図である図３に示されるように、外革部２４の端部（図３では左端の端部）は、リム芯金部２０側に略直角に折り曲げられた折曲げ端部２４Ａとされており、折曲げ端部２４Ａの先端とリム芯金部２０との間には所定の間隔が設けられている。なお、外革部２４がスポーク部１６（図１参照）を被覆する領域では、外革部２４の端部は、スポーク部１６側に略直角に折り曲げられている。
【００１６】
図３に示されるように、外革部２４の内側（図３ではリム芯金部２０側）には、芯材２６が設けられている。芯材２６は、合成樹脂材（本実施形態ではウレタン系の合成樹脂材）により形成されており、その内側に芯金１２（図３ではリム芯金部２０）を収容している。換言すれば、芯材２６は、リム芯金部２０やスポーク部１６（図１参照）を外側から被覆している。
【００１７】
この芯材２６のリム延在方向（矢印Ｂ方向）の端部側（図３では左側）には、樹脂ピース２８が隣接している。樹脂ピース２８は、芯材２６と同様に外革部２４の内側（図３ではリム芯金部２０側）に配置され、芯材２６寄りの部位が芯材２６に嵌め込まれた状態で接合されている。
【００１８】
この樹脂ピース２８には、外革部２４の折曲げ端部２４Ａ寄りとなる部位がリム芯金部２０側から切り欠かれた切欠部２８Ａが形成されている。この切欠部２８Ａによって、樹脂ピース２８とリム芯金部２０との間に空間が形成されている。切欠部２８Ａにおけるリム芯金部２０との対向面１２８Ａは、リム芯金部２０の外面に対して所定の間隔をあけて略平行に形成されている。また、この対向面１２８Ａの位置は、外革部２４の折曲げ端部２４Ａの先端の位置と揃えられている。さらに、樹脂ピース２８のリム延在方向（矢印Ｂ方向）の端部（図３では左端の端部）は、後述する木部材３０（杢部）との間に隙間を形成しており、この隙間に外革部２４の折曲げ端部２４Ａが入り込んでいる。
【００１９】
図１に示されるように、木部材３０は、正面視で外革部２４が被覆されていない部分に対応した範囲、すなわち、ステアリングホイール１０の上部及び左右斜め下部に設けられている。これらの木部材３０は、リム芯金部２０に対応して円弧状に加工されてかつ筒状とされ、装飾等のためにリム芯金部２０を被覆しており、車両の乗員が把持可能になっている。なお、図２に示されるように、木部材３０は、一対の木材片３０Ｄ、３０Ｅが接合されて構成されている。また、木部材３０の孔内面３０Ａとリム芯金部２０との間には、緩衝剤兼接着剤３２が介在されている。
【００２０】
図３に示されるように、木部材３０の延在方向（図３では矢印Ｂ方向と同じ方向）の端部には、樹脂ピース２８の切欠部２８Ａ内に入り込むように延出された延出部３０Ｂが形成されている。なお、図３では、木部材３０の延在方向一方側の端部を示しているが、木部材３０の延在方向他方側の端部も同様の構成（図３の左右を反転させた構成）になっている。延出部３０Ｂの先端部には、電極端子３４が取り付けられている。この電極端子３４には、配線３６の端部が接続されている。配線３６は、樹脂ピース２８及び芯材２６の内側にて芯金１２（図３ではリム芯金部２０）に固定された絶縁性の配線カバー３８内に挿通され、図１に示されるように、車両側へ延びてコントローラ４０と電気的に接続されている。
【００２１】
コントローラ４０は、車両の適宜位置に配置されている。このコントローラ４０には、電源４２が接続されており、電源４２は、本実施形態では車両に搭載されたバッテリとされている。また、コントローラ４０には、スイッチ４４が接続されており、スイッチ４４は、本実施形態ではステアリングホイール１０に配設され、乗員操作時にコントローラ４０に信号を出力するようになっている。これにより、コントローラ４０は、電源４２から電力が供給されると共に、スイッチ４４から出力された信号に応じて、各木部材３０の延在方向の両端部に取り付けられた一対の電極端子３４へ電流を供給するようになっている。
【００２２】
図２の部分拡大図及び図３に示されるように、木部材３０の表面３０Ｃ側には、発熱部としての導電膜４６が形成されている。なお、木部材３０の表面３０Ｃとは、木部材３０がリム芯金部２０（芯金１２）に装着された状態で木部材３０の外側をなす面である。本実施形態では、導電膜４６は、木部材３０の表面３０Ｃ側の全体に被覆されて導電層を形成している。導電膜４６は、導電性の物質（例えば、ニッケルや銅等の金属）を含んだ塗料が木部材３０の表面３０Ｃから延出部３０Ｂ（図３参照）にかけての範囲に塗装（又は焼付け）されて形成された薄膜であり、ある程度の光透過性を備えている。
【００２３】
図３に示されるように、導電膜４６の端部側は、電極端子３４を被覆しており、これによって、導電膜４６が電極端子３４と接続されている。導電膜４６は、両端側（電極端子３４側）からの通電により電気抵抗で発熱可能にされた（抵抗熱を発することが可能な）一種の抵抗体としての機能を有している。すなわち、導電膜４６の電気抵抗を利用して発熱させる構造（発熱体）が木部材３０の表面３０Ｃ側に設けられている（本杢ステアリングホイールの発熱構造）。
【００２４】
なお、導電膜４６の近傍には図示しないサーミスタが配置されている。前記サーミスタは、温度変化に応じて抵抗値が変化する温度検出手段であり、抵抗を介してコントローラ４０（図１参照）に接続され、コントローラ４０による温度制御用とされている。
【００２５】
導電膜４６は、カラークリアー層４８によって被覆されている。カラークリアー層４８は、カラー塗装及びクリアー塗装により形成された絶縁層であり、複数層で構成されるが、図２及び図３では便宜上これらの複数層をまとめて一層として図示する。このカラークリアー層４８は、薄膜状に形成されて光透過性を備えており、木部材３０に比べて熱伝達率（熱伝導率）が高い。
【００２６】
（実施形態の作用・効果）
次に、上記実施形態の作用及び効果について説明する。
【００２７】
図１に示されるスイッチ４４が乗員によって操作されると、スイッチ４４からコントローラ４０に信号が出力される。コントローラ４０は、これに応じて電極端子３４へ電流を供給する。電極端子３４は、図３に示される導電膜４６の両端部（図３では一方端部のみを図示）に接続されており、導電膜４６は、通電により抵抗熱を発する（発熱する）ようになっているので、電極端子３４へ供給される電流に応じて導電膜４６の温度が上昇する。
【００２８】
ここで、導電膜４６は、リム芯金部２０（芯金１２）を被覆する木部材３０の表面３０Ｃ側の全体を被覆しているので、導電膜４６への通電時には、木部材３０の表面３０Ｃ側の全体が導電膜４６の抵抗熱によって直接暖められる。すなわち、木部材３０の表面３０Ｃが効率的に昇温して木部材３０を把持する乗員に温熱感が与えられる。
【００２９】
ここで、対比構造と比較しながら補足説明すると、ステアリングホイールにおいては、木部材の表面側の全体を暖めるために、木部材内にヒータを内蔵させるような（例えば、面状ヒータを木部材の裏側（内側）に貼り付けるような）対比構造が考えられるが、このような対比構造では木部材の内側から表面側へ熱を伝えて木部材の全体を暖めなければならないため、大きな電力が必要になる。その一方で、車両側からの供給電力には限りがあるため、前記対比構造ではヒータによって木部材の表面全体を暖めるのは難しい。
【００３０】
これに対して、本実施形態に係るステアリングホイール１０では、導電膜４６によって木部材３０の表面３０Ｃ側の全体が直接暖められるので、必要な電力は前記対比構造に比べて非常に小さくなる（省電力化の実現）。
【００３１】
以上説明したように、本実施形態に係るステアリングホイール１０によれば、木部材３０の表面３０Ｃ側を効果的に暖めることができる。
【００３２】
（実施形態の補足説明）
なお、上記実施形態に係るステアリングホイール１０では、木部材３０の表面３０Ｃ側の全体に導電膜４６が被覆されているが、ステアリングホイールは、例えば、通電により発熱する発熱部が木部材の表面側の一部分に設けられると共に、木部材の表面側の他部分に木部材よりも熱伝導率が高くかつある程度の透過性を備えた熱伝導層を設け、前記熱伝導層を前記発熱部に接続させるような構成であってもよい。
【００３３】
また、他の例として、ステアリングホイールは、例えば、通電により発熱する透明ヒータ（一例としてインジウム−錫酸化物（ＩＴＯ）で形成された光透過率の高いヒータ、発熱部）が細長シート状に形成されてかつ木部材の表面側に複数枚貼られ、その上からクリアー塗装されたような構成であってもよい。
【００３４】
さらに、他の例として、発熱部は、例えば、通電により発熱する導電性物質を木部材の表面側（表面内側）に染み込ませて形成された発熱部としてもよい。
【００３５】
さらにまた、他の例として、発熱部は、例えば、脱水に伴って蓄熱（吸熱）し、水和に伴って放熱（発熱）するような化学物質が、木部材の表面側に点在して成る発熱部としてもよい。なお、このような発熱部を設ける場合には、必要時に該発熱部を蓄熱（吸熱）や放熱（発熱）させるために、前記脱水や前記水和をさせるための手段を別途設けることになる。
【００３６】
なお、上記実施形態に係るステアリングホイール１０は、図１に示される木部材３０がリム芯金部２０を被覆する構成に適用されているが、ステアリングホイールは、木部材がリム芯金部及びスポーク部の一部を被覆するような構成（例えば、図１の外革部２４の配設位置に木部材を配設するような構成）に適用されてもよい。
【図面の簡単な説明】
【００３７】
【図１】本発明の一実施形態に係るステアリングホイールを示す正面図である。
【図２】本発明の一実施形態に係るステアリングホイールの要部を示す断面図（図１の２−２線に沿った拡大断面図）である。
【図３】本発明の一実施形態に係るステアリングホイールの要部を示す断面図（図１の３−３線に沿った拡大断面図）である。
【符号の説明】
【００３８】
１０    ステアリングホイール
３０    木部材
３０Ｃ  表面
４６    導電膜（発熱部）
【図１】
2009262745.tif 000003
【図２】
2009262745.tif 000004
【図３】
2009262745.tif 000005